(57)【要約】【課題】ＡＶ再生装置の再生映像を表示したいたモニタの映像がバックカメラからの映像に切り替えられた時点の再生箇所からＡＶ再生装置の再生とモニタ出力を再開する。【解決手段】メインユニット１の制御部１１は、自動車のトランスミッションのギアがバックギアにシフトしたことを検知すると、フロントモニタ２とリアモニタ３にバックカメラ７からの映像を出力すると共に、フロントモニタ２またはリアモニタ３に映像を出力していたＡＶ再生装置９を一時停止状態とする。その後、ギアがパーキングギアにシフトするか車両の通常前進走行中が推定されたならば、制御部１１は、ＡＶ再生装置９に再生動作を再開させ、再生映像の、一時停止前にＡＶ再生装置９が映像を出力していたモニタへの出力を開始させる。【選択図】図１
2004088155.tif 000002
【特許請求の範囲】
【請求項１】
自動車室内に設定された表示装置であるモニタにビデオ再生装置が再生した映像を表示する車載ビデオシステムであって、
自動車の運転ユーザの後進操作を検知する後進検知手段と、
前記後進検知手段が、運転ユーザの後進操作を検知したときに、前記ビデオ再生装置が再生動作中であって前記モニタに前記ビデオ再生装置が再生した映像を表示中であった場合に、当該ビデオ再生装置の再生動作を一時停止させる制御部とを有することを特徴とする車載ビデオシステム。
【請求項２】
請求項１記載の車載ビデオシステムであって、
自動車後方を撮影するバックカメラを有し、
前記制御部は、前記後進検知手段が運転ユーザの後進操作を検知したときに、前記モニタに前記バックカメラが撮影した映像を表示させることを特徴とする車載ビデオシステム。
【請求項３】
請求項１または２記載の車載モニタシステムであって、
前記制御部は、前記後進検知手段の運転ユーザの後進操作の検知に応答して前記ビデオ再生装置の再生動作を一時停止させた後、前記自動車が駐車した場合、または、通常の前進走行を開始したと推定される場合に、前記ビデオ再生装置の再生動作と、前記モニタへの前記ビデオ再生装置が再生した映像の表示とを再開させることを特徴とする車載ビデオシステム。
【請求項４】
請求項１、２または３記載の車載ビデオシステムであって、
前記後進検知手段は、トランスミッションのギアがバックギアにシフトしたことをもって、自動車の運転ユーザの後進操作を検知することを特徴とする車載モニタシステム。
【請求項５】
請求項２記載の車載ビデオシステムであって、
リアシートユーザ用の表示装置であって、前記ビデオ再生装置が再生した映像を表示することのできるリアモニタを有し、
前記制御部は、前記後進検知手段が運転ユーザの後進操作を検知したときに、前記リアモニタに前記バックカメラが撮影した映像を表示させると共に、前記ビデオ再生装置が再生動作中であって、前記モニタまたは前記リアモニタの少なくとも一方に、前記ビデオ再生装置が再生した映像を表示中であった場合に、当該ビデオ再生装置の再生動作を一時停止させることを特徴とする車載ビデオシステム。
【請求項６】
請求項１または２記載の車載ビデオシステムであって、
リアシートユーザ用の表示装置であって、前記ビデオ再生装置が再生した映像を表示することのできるリアモニタと、
前記リアモニタを、前記リアシートユーザが当該リアモニタの表示を視認可能となる使用位置と、当該リアモニタが収容された状態となる収容位置との間で移動するアクチュエータとを有し、
前記制御部は、前記後進検知手段が、運転ユーザの後進操作を検知したときに、前記アクチュエータに前記リアモニタを収容位置に移動させると共に、前記ビデオ再生装置が再生動作中であって、前記モニタまたは前記リアモニタの少なくとも一方に、前記ビデオ再生装置が再生した映像を表示中であった場合に、当該ビデオ再生装置の再生動作を一時停止させることを特徴とする車載ビデオシステム。
【請求項７】
自動車室内に設定された表示装置であるモニタであって、当該モニタの表示をユーザが視認可能となる使用位置と当該モニタが収容された状態となる収容位置との間で移動可能なモニタに、ビデオ再生装置が再生した映像を表示する車載ビデオシステムであって、
前記モニタの収容位置への移動を検知する移動検知手段と、
前記移動検知手段が、前記モニタの前記収容位置への移動を検知したときに、前記ビデオ再生装置が再生動作中であって前記モニタに前記ビデオ再生装置が再生した映像を表示中であった場合に、当該ビデオ再生装置の再生動作を一時停止させる制御部とを有することを特徴とする車載ビデオシステム。
【請求項８】
請求項７記載の車載ビデオシステムであって、
前記移動検知手段は、前記モニタの前記使用位置への移動も検知し、
前記制御部は、前記移動検知手段の前記モニタの収容位置への移動の検知に応答して前記ビデオ再生装置の再生動作を一時停止させた後、前記移動検知手段が前記モニタの使用位置への移動を検知したときに、前記ビデオ再生装置の再生動作と、前記モニタへの前記ビデオ再生装置が再生した映像の表示とを再開させることを特徴とする車載ビデオシステム。
【請求項９】
自動車室内に設定された表示装置であるモニタにビデオ再生装置が再生した映像を表示する車載ビデオシステムにおいて、前記ビデオ再生装置の再生動作と当該ビデオ再生装置が再生した映像の表示を制御するビデオ再生制御方法であって、
自動車の運転ユーザの後進操作を検知するステップと、
運転ユーザの後進操作を検知したときに、前記ビデオ再生装置が再生動作中であって前記モニタに前記ビデオ再生装置が再生した映像を表示中であった場合に、当該ビデオ再生装置の再生動作を一時停止させるステップとを有することを特徴とするビデオ再生制御方法。
【請求項１０】
自動車室内に設定された表示装置であるモニタであって、当該モニタの表示をユーザが視認可能となる使用位置と当該モニタが収容された状態となる収容位置との間で移動可能なモニタに、ビデオ再生装置が再生した映像を表示する車載ビデオシステムにおいて、前記ビデオ再生装置の再生動作と当該ビデオ再生装置が再生した映像の表示を制御するビデオ再生制御方法であって、
前記モニタの収容位置への移動を検知するステップと、
前記モニタの前記収容位置への移動を検知したときに、前記ビデオ再生装置が再生動作中であって前記モニタに前記ビデオ再生装置が再生した映像を表示中であった場合に、当該ビデオ再生装置の再生動作を一時停止させるステップとを有することを特徴とするビデオ再生制御方法。
【発明の詳細な説明】
【０００１】
【発明の属する技術分野】
本発明は、自動車室内に設定された表示装置であるモニタを用いてビデオ再生装置が再生した映像をユーザに提示する車載ビデオシステムにおいて、ビデオ再生装置の一時再生停止動作を制御する技術に関するものである。
【０００２】
【従来の技術】
従来より、自動車室内に設定された表示装置であるモニタを用いて、ビデオテーププレイヤやＤＶＤビデオ再生装置などのビデオ再生装置で再生した映像をユーザに提示する車載ビデオシステムが知られている。
また、このような車載ビデオシステムに用いられるモニタとしては、ダッシュボード上に設置されるモニタや、非使用時にはダッシュボード内にモニタを収容可能なインダッシュと呼ばれる形態のモニタが知られている。また、さらに、このようなモニタとしては、リアシートユーザ用の天井吊り下げ型のリアモニタも知られており、このようなリアモニタは、天井とのジョイント部を開閉軸として、表示面が垂直となる（リアシートユーザがリアモニタを見ることができる）角度と表示面が天井面と近接して対面する（リアモニタが収容された）角度との間で、開閉可能に構成されていることが多い。また、たとえば、特開平１１−３４２７９８号公報などに記載のように、このような天井吊り下げ型のリアモニタの開閉を行うアクチュエータを設け、リアモニタの開閉が手動ではなく、電動的に行われる場合もある。
【０００３】
また、以上のような車載ビデオシステムの中には、車両後方を撮影するバックカメラを備え、車両後進時には、運転ユーザの後進時の後方確認のために、自動的にモニタに表示する映像をバックカメラで撮影した映像に切り替えるものも知られている。
【０００４】
【発明が解決しようとする課題】
さて、以上のような、バックカメラを備えた車載ビデオシステムおいて、ユーザがモニタにビデオ再生装置からの再生映像を表示している状態において、運転ユーザが車両を後進するとモニタの表示映像はバックカメラが撮影した車両後方の映像に切り替わる。その一方で、モニタにバックカメラが撮影した映像が表示されている期間中も、ビデオ再生装置の再生動作は、再生映像がモニタに表示されない形態で継続されることになる。このため、モニタの表示映像がビデオ再生装置の再生映像に戻った後に、ユーザが、モニタの表示映像がバックカメラに切り替わってからモニタの表示映像からビデオ再生装置の再生映像に戻るまでの間にビデオ再生装置によって再生されてしまった映像を見るためには、ビデオ再生装置に、再生箇所の前方早送り（ビデオテープの巻き戻しなど）を行わせてから再生を開始させるといった煩雑な操作を行う必要がある。
【０００５】
また、以上のような、収容可能なモニタを備えた車載ビデオシステムおいて、ユーザがモニタにビデオ再生装置からの再生映像を表示している状態において、何らかの都合によりユーザがモニタを収容しても、ビデオ再生装置の再生動作は継続されるこになる。そして、このために、後にモニタを収容した時点で再生していたところから、ビデオ再生装置にビデオの再生を行わせたい場合には、やはり同様に、ユーザは、ビデオ再生装置に、再生箇所の前方早送り（ビデオテープの巻き戻しなど）を行わせてから再生を開始させるといった煩雑な操作を行う必要がある。
【０００６】
そこで、本発明は、モニタを用いてビデオ再生装置が再生した映像をユーザに提示する車載ビデオシステムにおいて、ユーザの煩雑な操作を必要とすることなく、ビデオ再生装置の再生映像のモニタを介したユーザへの提示を、当該映像のユーザへのモニタを介した提示が中断された箇所より再開できるようにすることを課題とする。
【０００７】
【課題を解決するための手段】
前記課題達成のために、本発明は、たとえば、自動車室内に設定された表示装置であるモニタにビデオ再生装置が再生した映像を表示する車載ビデオシステムであって、自動車の運転ユーザの後進操作を検知する後進検知手段と、前記後進検知手段が、運転ユーザの後進操作を検知したときに、前記ビデオ再生装置が再生動作中であって前記モニタに前記ビデオ再生装置が再生した映像を表示中であった場合に、当該ビデオ再生装置の再生動作を一時停止（ポーズ）させる制御部とを有することを特徴とする車載ビデオシステムを提供する。
【０００８】
このような車載ビデオシステムによれば、自動車の後進のために、ユーザが落ちついてビデオ再生装置の再生映像を鑑賞できないような期間は、当該ビデオ再生装置の再生動作を一時停止させるので、その後、適当な時期に、車両後進開始時に一時停止した箇所から、前方早送りなどを必要とすることなくビデオ再生装置の再生を再開できるようになる。
【０００９】
または、たとえば、自動車後方を撮影するバックカメラを備え、前記後進検知手段が運転ユーザの後進操作を検知した場合に、前記モニタに前記バックカメラが撮影した映像を表示するような車載ビデオシステムにおいては、バックカメラの撮影映像の表示のために、ビデオ再生装置の再生映像を表示できなくなった時点で、当該ビデオ再生装置の再生動作を一時停止させることになるので、その後、適当な時期に、車両後進開始時に一時停止した箇所から、前方早送りなどを必要とすることなくビデオ再生装置の再生を再開できるようになる。
【００１０】
ここで、このような車載ビデオシステムにおいては、前記制御部が、前記後進検知手段の運転ユーザの後進操作の検知に応答して前記ビデオ再生装置の再生動作を一時停止させた後、前記自動車が駐車した場合、または、通常の前進走行を開始したと推定される場合に、前記ビデオ再生装置の再生動作と、前記モニタへの前記ビデオ再生装置が再生した映像の表示とを再開させるようにしてもよい。
【００１１】
このようにすることにより、車両の後進開始後に駐車したり通常の前進走行を開始した時点で、特段のユーザ操作を必要とすること無しに、車両後進開始時に一時停止した箇所から、ビデオ再生装置の再生を再開できるようになる。
なお、自動車の運転ユーザの後進操作を検知は、たとえば、トランスミッションのギアがバックギアにシフトしたことをもって、これを検知するようにすることができる。
ここで、車載ビデオシステムに、リアシートユーザ用の表示装置であって、前記ビデオ再生装置が再生した映像を表示することのできるリアモニタを備える場合には、前記制御部において、前記後進検知手段が運転ユーザの後進操作を検知したときに、前記リアモニタに前記バックカメラが撮影した映像を表示させると共に、前記ビデオ再生装置が再生動作中であって、前記モニタまたは前記リアモニタの少なくとも一方に、前記ビデオ再生装置が再生した映像を表示中であった場合に、当該ビデオ再生装置の再生動作を一時停止させるようにしてもよい。
【００１２】
このようにすることにより、リアシートユーザがリアモニタを見ながら運転ユーザに運転のアドバイスをすることができるようになる。また、バックカメラの撮影映像の表示のために、フロントモニタとリアモニタの少なくとも一方に行っていたビデオ再生装置の再生映像の表示を中断した時点で、当該ビデオ再生装置の再生動作を一時停止させるので、その後、適当な時期に、車両後進開始時に一時停止した箇所から、そのモニタ等へのビデオ再生装置の再生を前方早送りなどを必要とすることなく再開できるようになる。
【００１３】
または、このようなリアモニタを、前記リアシートユーザが当該リアモニタの表示を視認可能となる使用位置と、当該リアモニタが収容された状態となる収容位置との間で移動するアクチュエータと共に備える場合には、前記制御部において、前記後進検知手段が、運転ユーザの後進操作を検知したときに、前記アクチュエータに前記リアモニタを収容位置に移動させると共に、前記ビデオ再生装置が再生動作中であって、前記モニタまたは前記リアモニタの少なくとも一方に、前記ビデオ再生装置が再生した映像を表示中であった場合に、当該ビデオ再生装置の再生動作を一時停止させるようにしてもよい。
【００１４】
このようにすることにより、自動車の後進時にリアモニタを収容して運転ユーザの後方視界を確保することができる。また、運転ユーザについては後進運転時の後方確認やモニタへのバックカメラ撮影映像の表示のために、リアシートユーザについてはリアモニタの収容のために、リアモニタへ表示していたビデオ再生装置の再生映像をユーザが見ることできなくなった時点で、当該ビデオ再生装置の再生動作を一時停止させるので、その後、適当な時期に、車両後進開始時に一時停止した箇所から、そのモニタ等へのビデオ再生装置の再生を前方早送りなどを必要とすることなく再開できるようになる。
【００１５】
また、本発明は、前記課題達成のために、自動車室内に設定された表示装置であるモニタであって、当該モニタの表示を視認可能となる使用位置と当該モニタが収容された状態となる収容位置との間で移動可能なモニタに、ビデオ再生装置が再生した映像を表示する車載ビデオシステムであって、前記モニタの収容位置への移動を検知する移動検知手段と、前記移動検知手段が、前記モニタの前記収容位置への移動を検知したときに、前記ビデオ再生装置が再生動作中であって前記モニタに前記ビデオ再生装置が再生した映像を表示中であった場合に、当該ビデオ再生装置の再生動作を一時停止させる制御部とを有することを特徴とする車載ビデオシステムを提供する。
【００１６】
このような車載ビデオシステムによれば、モニタを収容したときに、特段の操作を行わなくとも、当該ビデオ再生装置の再生動作は一時停止する。したがって、その後、モニタを使用位置に戻した時には、モニタ収納時に一時停止した箇所から、前方早送りなどを必要とすることなくビデオ再生装置の再生を再開できるようになる。
【００１７】
ここで、このような車載ビデオシステムにおいては、前記移動検知手段が、前記モニタの前記使用位置への移動も検知し、前記制御部が、前記移動検知手段の前記モニタの収容位置への移動の検知に応答して前記ビデオ再生装置の再生動作を一時停止させた後、前記移動検知手段が前記モニタの使用位置への移動を検知した場合に、前記ビデオ再生装置の再生動作と、前記モニタへの前記ビデオ再生装置が再生した映像の表示とを再開させるようにしてもよい。
【００１８】
このようにすることにより、モニタを使用位置に移動した時点で、特段のユーザ操作を必要とすること無しに、モニタ収容時に一時停止した箇所から、ビデオ再生装置の再生を再開できるようになる。
【００１９】
【発明の実施の形態】
以下、本発明の実施形態について説明する。
図１に、本実施形態に係る車載モニタシステムの構成を示す。
図示するように、本車載モニタシステムは、メインユニット１、フロントシートユーザ用の表示装置であるフロントモニタ２、リアシートユーザ用の表示装置であるリアモニタ３、フロントモニタ２のダッシュボードへの収容と取り出しを行うインダッシュアクチュエータ４、リアモニタ３の開閉を行う開閉アクチュエータ５、スピーカ６、車両後方を撮影するバックカメラ７、ＴＶチューナなどのＡＶ受信装置８、ＤＶＤ再生装置やビデオテープ再生装置などのＡＶ再生装置９とを有する。
【００２０】
また、メインユニット１は、制御部１１、オーディオセレクタ１２、リアビデオセレクタ１３、フロントビデオセレクタ１４、操作部１５、自動車状態入力インタフェース１６とを有する。
このような構成において、オーディオセレクタ１２は、制御部１１の制御に従って、ＡＶ受信装置８が出力する音声とＡＶ再生装置９の出力する音声の内から一つの音声を選択し、スピーカ６に出力する。また、リアビデオセレクタ１３は、制御部１１の制御に従って、ＡＶ受信装置８とＡＶ再生装置９とバックカメラ７が各々出力する映像の内から一つの映像を選択し、リアモニタ３に出力する。また、フロントビデオセレクタ１４は、制御部１１の制御に従って、ＡＶ受信装置８とＡＶ再生装置９とバックカメラ７が各々出力する映像の内から一つの映像を選択し、フロントモニタ２に出力する。
【００２１】
そして、自動車状態入力インタフェース１６は、自動車の走行制御を行うカーコントロールユニットより、バック（リバース）／パーキング／ドライブなどの現在のトランスミッションのギア状態と、自動車の車速の情報とを受け取り、制御部１１に引き渡す。ただし、これらの情報をカーコントロールユニットより取得できない場合には、自動車状態入力インタフェース１６に代えて、これらの情報を検出するセンサを備えるようにしても良い。
【００２２】
ここで、図２に、以上各部の自動車内の配置例を示す。
図示するように、フロントモニタ２は、インダッシュ形態でダッシュボードに配置され、ダッシュボード内に配置されたインダッシュアクチュエータ４によって、図中破線で示すダッシュボード内の収容位置とダッシュボードから取り出され後方に表示面が向いた使用位置との間で移動される。また、リアモニタ３は自動車室内のフロントシート背もたれ部付近の天井に吊り下げられた状態で配置され、開閉アクチュエータ５によって図中破線で示す収容位置（閉じた状態）と、表示面が後方を向いた使用位置（開いた状態）との間で移動される。そして、メインユニット１やＡＶ受信装置８やＡＶ再生装置９はダッシュボード等に配置され、バックカメラ７は自動車後部に自動車後方を撮影する向きに配置され、スピーカ６はフロントドア内などに配置される。
【００２３】
以下、このような車載モニタシステムの動作について説明する。
図３に、メインユニット１の制御部１１が行う制御処理の手順を示す。
図示するように、制御部１１は、イグニッションキーがＡＣＣとなると、まず、各部の初期設定を行う。この初期設定では、たとえば、リアモニタ３、フロントモニタ２、ＡＶ受信装置８、ＡＶ再生装置９、バックカメラ７の電源をオンしたり、開閉アクチュエータ５、インダッシュアクチュエータ４、リアビデオセレクタ１３、フロントビデオセレクタ１４、オーディオセレクタ１２を制御し、前回イグニッションキーのポジションがオフとなったときの状態に、フロントモニタ２、リアモニタ３の収容位置／使用位置の状態や、リアモニタ３、フロントモニタ２、スピーカ６の出力状態を復帰する（ステップ３０２）。
【００２４】
そして、操作部１５を介したユーザ操作の入力と（ステップ３０４）、自動車状態入力インタフェース１６から入力する情報が表すトランスミッションのギア状態のバックギアへのシフト（ステップ３０６）とを監視する。
そして、ユーザ操作があれば（ステップ３０４）、入力されたユーザ操作に応じて、インダッシュアクチュエータ４を介したフロントモニタ２の収容位置と使用位置間の移動や、開閉アクチュエータ５を介したリアモニタ３のの収容位置と使用位置間の移動や、オーディオセレクタ１２を制御してのスピーカ出力音声の切替や、リアビデオセレクタ１３やフロントビデオセレクタ１４を制御してのフロントモニタ２やリアモニタ３への出力映像の切替や、ＡＶ再生装置９の再生、停止、一時停止（ポーズ）や、ＡＶ受信装置８のチャネル切替などの動作の制御を行う（ステップ３０８）。
【００２５】
そして、フロントモニタ２またはリアモニタ３が収納状態に変化したかどうかを調べる（ステップ３１０）。ここで、フロントモニタ２やリアモニタ３の収納状態とは、そのモニタが前述した収容位置にある状態を言う。また、フロントモニタ２やリアモニタ３の使用状態とは、そのモニタが前述した使用位置にある状態を言うものとする。
【００２６】
さて、フロントモニタ２またはリアモニタ３が収納状態に変化していれば、その収納状態に変化したモニタの電源をオフし、フロントビデオセレクタ１４またはリアビデオセレクタ１３を制御して、その収納状態に変化したモニタへの映像出力を停止する（ステップ３１４）。そして、収納状態に変化したモニタに出力していた映像の出力元（ソース）の装置の識別を収納前ソース情報として記録する（ステップ３１６）。すなわち、ここでは、たとえば、収納状態に変化したモニタにＡＶ再生装置９からの映像を出力していたのであれば、その収納状態に変化したモニタに対応づけてＡＶ再生装置９の識別を収納前ソース情報として登録する。
【００２７】
そして、その収納状態に変化したモニタの収納前ソース情報が、ＡＶ再生装置９を示しているかどうかを調べ（ステップ３１８）、ＡＶ再生装置９を示していなければステップ３０６に進み、操作部１５を介したユーザ操作の入力と、自動車状態入力インタフェース１６から入力する情報が表すトランスミッションのギア状態のバックギアへのシフトとの監視に戻る。
【００２８】
一方、収納状態に変化したモニタの収納前ソース情報がＡＶ再生装置９を示している場合には、そのＡＶ再生装置９の映像を出力している他のモニタが存在するかどうかを調べ（ステップ３２０）、存在する場合には、ステップ３０６に進み、操作部１５を介したユーザ操作の入力と、自動車状態入力インタフェース１６から入力する情報が表すトランスミッションのギア状態のバックギアへのシフトとの監視に戻る。そして、収納状態に変化したモニタの収納前ソース情報が示すＡＶ再生装置９の映像を出力している他のモニタが存在する場合には、そのＡＶ再生装置９に再生一時停止を指示し（ステップ３２２）、ステップ３０６に進み、上記監視に戻る。
【００２９】
この結果、あるＡＶ再生装置９の再生する映像が出力されているモニタの全てが収納状態となると、そのＡＶ再生装置９は一時停止状態とされることになる。すなわち、あるＡＶ再生装置９の再生する映像がリアモニタ３とフロントモニタ２のいずれか一方にのみ出力されている場合には、そのＡＶ再生装置９の再生する映像が出力されているモニタが収納状態に変化した時点で、そのＡＶ再生装置９は一時停止状態とされる。また、あるＡＶ再生装置９の再生する映像がリアモニタ３とフロントモニタ２の双方に出力されている場合には、いずれか一方のモニタのみが収納状態に変化しても、そのＡＶ再生装置９は一時停止状態とはされず再生が継続され、両方のモニタが共に収納状態となった時点で、そのＡＶ再生装置９は一時停止状態とされる。
【００３０】
さて、ステップ３１０においてフロントモニタ２またはリアモニタ３が収納状態に変化しなかった場合には、フロントモニタ２またはリアモニタ３が使用状態に変化したかどうかを調べ（ステップ３１２）、変化していない場合には、ステップ３０６に進み、上記監視に戻る。
【００３１】
一方、フロントモニタ２またはリアモニタ３が使用状態に変化した場合には、使用状態に変化したモニタの電源をオンし（ステップ３２４）、フロントビデオセレクタ１４またはリアビデオセレクタ１３を制御して、そのモニタについてステップ３１６で登録した収納前ソース情報が示す装置の出力を、使用状態に変化したモニタに出力する（ステップ３２６）。そして、そのモニタについてステップ３１６で登録した収納前ソース情報がＡＶ再生装置９を示すかどうかを調べ（ステップ３２８）、ＡＶ再生装置９を示さない場合には、ステップ３０６に進み、上記監視に戻る。
【００３２】
一方、収納前ソース情報がＡＶ再生装置９を示す場合には、そのＡＶ再生装置９が一時停止中かどうかを調べ（ステップ３３０）、一時停止中でなければ、そのままステップ３０６に進み、上記監視に戻る。一方、一時停止中であれば、そのＡＶ再生装置９に再生開始、すなわち、一時停止の解除を指示した（ステップ３３２）のちに、ステップ３０６に進み、上記監視に戻る。
【００３３】
この結果、あるＡＶ再生装置９の再生する映像が出力されているモニタの全てが収納状態となり、そのＡＶ再生装置９が一時停止状態とされた後、そのＡＶ再生装置９の再生する映像が出力されていたモニタのいずれかが使用状態となると、ＡＶ再生装置９の再生が、ＡＶ再生装置９の再生する映像が出力されているモニタの全てが収納状態となった時点において一時停止されたところから再開され、その使用状態とされたモニタに表示出力されることになる。
【００３４】
さて、ステップ３０６において、トランスミッションのギア状態のバックギアへのシフトが検出されたならば、ステップ３３４においてバック中処理を行う。
図４に、このバック中処理の手順を示す。
図示するようにバック中処理では、まず、現在リアモニタに映像を出力している映像の出力元がどのＡＶ機器であるのかの識別と、現在フロントモニタに映像を出力している映像の出力元がどのＡＶ機器であるのかの識別をバック前ソース情報として記憶する（ステップ４０２）。
【００３５】
そして、いずれかのモニタについてのバック前ソース情報が、ＡＶ再生装置９を示しているかどうかを調べ（ステップ４０４）、ＡＶ再生装置９を示していなければステップ４０６に進む。一方、いずれかのモニタについてのバック前ソース情報が、ＡＶ再生装置９を示していれば、そのＡＶ再生装置９が再生動作中であるかを調べ（ステップ４２８）、再生動作中でなければそのままステップ４０６に進み、再生動作中であれば、そのＡＶ再生装置９に一時停止を指示し（ステップ４３０）、その後、ステップ４０６に進む。
【００３６】
ステップ４０６では、フロントビデオセレクタ１４、リアビデオセレクタ１３を制御して、フロントモニタ２とリアモニタ３にバックカメラ７からの映像を出力する（ステップ４０６）。
この結果、運転ユーザが、ギアをバックにシフトしバック操作を開始すると、フロントモニタ及びリアモニタ３には、バックカメラ７からの映像が出力されることになる。また、フロントモニタ２またはリアモニタ３に映像を出力していた、再生動作中のＡＶ再生装置９は一時停止状態とされることになる。
【００３７】
そして、その後は、トランスミッションのギア状態のパーキングギアへのシフトの発生と（ステップ４０８）、トランスミッションのギア状態のドライブギアへのシフト（ステップ４１０）の発生を監視する。
そして、トランスミッションのギア状態のパーキングギアへのシフトが発生したならば（ステップ４０８）、ステップ４０２で記憶しておいたバック前ソース情報に従い、リアビデオセレクタ１３とフロントビデオセレクタ１４を制御して、リアモニタ３とフロントモニタ２への、ステップ４０６で出力をバックカメラ７からの映像に切り替える以前に映像を出力していた装置からの映像の出力を開始する（ステップ４２４）、そして、いずれかのモニタについてのバック前ソース情報が、ＡＶ再生装置９を示すかどうかを調べ（ステップ４２６）、ＡＶ再生装置９を示さない場合には、そのまま処理を終了する。一方、いずれかのモニタについてのバック前ソース情報がＡＶ再生装置９を示す場合には、さらに、そのＡＶ再生装置９が一時停止中かどうかを調べ（ステップ４３２）、一時停止中であれば、そのＡＶ再生装置９に再生開始、すなわち、一時停止解除を指示し（ステップ４３４）、処理を終了する。
【００３８】
一方、ステップ４１０において、トランスミッションのギア状態のドライブギアへのシフトが発生したならば、タイマをたとえば１０秒にセットし（ステップ４１２）、トランスミッションのギア状態のバックギアへのシフトの発生と（ステップ４１４）、トランスミッションのギア状態のパーキングギアへのシフトの発生と（ステップ４１６）、車速の所定速度（たとえば３０ｋｍ／ｈ）以上への増加と（ステップ４１８）、ユーザからの操作部１５を介した出力復帰指示の入力と（ステップ４２０）、タイマのタイムアウト（ステップ４２２）を監視する。
【００３９】
そして、トランスミッションのギア状態のバックギアへのシフトが発生したならば（ステップ４１４）、ステップ４０８からの処理に戻る。一方、トランスミッションのギア状態のパーキングギアへのシフトか（ステップ４１６）、車速の所定速度以上への増加か（ステップ４１８）、出力復帰指示の入力か（ステップ４２０）、タイムアウト（ステップ４２２）が発生したならば、ステップ４０２で記憶しておいたバック前ソース情報に従い、リアビデオセレクタ１３とフロントビデオセレクタ１４を制御して、リアモニタ３とフロントモニタ２への、ステップ４０６で出力をバックカメラ７からの映像に切り替える以前に映像を出力していた装置からの映像の出力を開始する（ステップ４２４）、そして、いずれかのモニタについてのバック前ソース情報が、ＡＶ再生装置９を示すかどうかを調べ（ステップ４２６）、ＡＶ再生装置９を示さない場合には、そのまま処理を終了する。一方、いずれかのモニタについてのバック前ソース情報がＡＶ再生装置９を示す場合には、さらに、そのＡＶ再生装置９が一時停止中かどうかを調べ（ステップ４３２）、一時停止中であれば、そのＡＶ再生装置９に再生開始、すなわち、一時停止解除を指示し（ステップ４３４）、処理を終了する。
【００４０】
この結果、自動車のバック開始後、自動車がパーキング状態となったときや、一定時間以上トランスミッションのギアがドライブギアにあったり車速が所定速度以上にあったりするなど通常の前進走行が開始されたと判定されたときに、フロントモニタ２とリアモニタ３の表示は、バック開始前に映像を表示していた装置からの映像の表示に復帰する。また、バック開始前に映像を表示していた装置が、ＡＶ再生装置９である場合には、そのＡＶ再生装置９の再生が、バック開始時点において一時停止されたところから再開されモニタに表示出力されることになる。
【００４１】
以上、バック中処理について説明した。なお、以上のバック中処理のステップ４０６では、リアモニタ３にバックカメラ７からの映像を出力する代わりに、リアモニタアクチュエータを制御してリアモニタ３を収納状態とすることによりバック運転時の後方視界を確保する処理を行うようにしても良い。また、この場合には、ステップ４２４にリアモニタアクチュエータを制御してリアモニタ３を使用状態に復帰する処理を付加し、駐車か通常の前進走行が推定される場合に、自動的にリアモニタが使用状態に復帰するようにしてもよい。
【００４２】
以上、本発明の実施形態について説明した。
以上のように、本実施形態によれば、ＡＶ再生装置９からの映像が出力されているモニタが収容されたり、ＡＶ再生装置９からの映像が出力されているモニタの表示がバックカメラ７からの映像に表示映像が切り替えられた時点で、ＡＶ再生装置９を一時停止状態とする。したがって、ユーザは、後に、モニタを収容したりバックを開始したりしたために、ＡＶ再生装置９の再生映像を見ることができなくなった再生箇所から、前方早送りなどを行う必要無しに、ＡＶ再生装置９の再生を再開し、その映像を見ることができるようになる。
【００４３】
また、このようにして一時停止されたＡＶ再生装置９の再生やモニタへの表示は、モニタが使用状態となったり、自動車がパーキング状態となったときや、一定時間以上トランスミッションのギアがドライブギアにあったり車速が所定速度以上にあったりするなど通常の前進走行が開始されたと判定されたときに、自動的に再開される。したがって、ユーザは、一時停止されたＡＶ再生装置９の再生再開操作を行う必要がない。
【００４４】
なお、以上の実施形態におけるフロントモニタ２やリアモニタ３の収納状態や使用状態への変化の検出は、フロントモニタ２やリアモニタ３の収容が手動により行われる場合などには、フロントモニタ２やリアモニタ３の収納状態や使用状態への変化を検出するセンサを用いて行うようにしてもよい。また、一時停止されたＡＶ再生装置９の再生再開や、フロントモニタ２やリアモニタ３への出力の復帰の処理は、これを省略し、これらについてはユーザ操作に応じて行うようにしてもよい。また、本実施形態におけるバック時のＡＶ再生装置９の一時停止の制御は、バックカメラ７を備えていないモニタシステムにも同様に適用可能である。
【００４５】
【発明の効果】
以上のように、本発明によれば、モニタを用いてビデオ再生装置が再生した映像をユーザに提示する車載ビデオシステムにおいて、ユーザの煩雑な操作を必要とすることなく、ビデオ再生装置の再生映像のモニタを介したユーザへの提示を、当該映像のユーザへのモニタを介した提示が中断された箇所より再開できるようになる。
【図面の簡単な説明】
【図１】本発明の実施形態に係るモニタシステムの構成を示すブロック図である。
【図２】本発明の実施形態に係るモニタシステム車内配置を示す図である。
【図３】本発明の実施形態に係る制御部の動作を示すフローチャートである。
【図４】本発明の実施形態に係る制御部の動作を示すフローチャートである。
【符号の説明】
１：メインユニット、２：フロントモニタ、３：リアモニタ、４：インダッシュアクチュエータ、５：開閉アクチュエータ、６：スピーカ、７：バックカメラ、８：ＡＶ受信装置、９：ＡＶ再生装置、１１：制御部、１２：オーディオセレクタ、１３：リアビデオセレクタ、１４：フロントビデオセレクタ、１５：操作部、１６：自動車状態入力インタフェース。
【図１】
2004088155.tif 000003
【図２】
2004088155.tif 000004
【図３】
2004088155.tif 000005
【図４】
2004088155.tif 000006